(57)【要約】プッシュプルキャップディスペンサ。キャップは放射状に包囲する側壁、ほぼ中央のキャップ開口部から側壁に放射状に延びるトップを備える。キャップは更に、受け部品の受け開口と密封するように係合されているポストと、キャップ開口部から間隔を置いた位置にあるポストを支える支持構造と、キャップの側壁の内面上に形成された内部キャップリングとから構成されている。支持構造の輪郭がキャップ開口部とキャップ内の中空スペースの間に通路を形成する。
2006512255.tif 000002
【特許請求の範囲】
【請求項１】
中空キャップであって、
放射状に包囲する側壁と、
ほぼ中央のキャップ開口部からキャップの側壁にあるトップ端部まで放射状に延びるトップと、
受け部品の受け開口を密封するように係合するポストと、
キャップ開口部から間隔を置いた位置にポストを支える支持構造と、
キャップ側壁の内面上に形成された内部キャップリングと、
を備え
支持構造の輪郭はキャップ開口部とキャップ内の中空スペースの間に通路を形成していることを特徴とする中空キャップ。
【請求項２】
前記支持構造は前記トップの内面と接触していることを特徴とする請求項１に記載のキャップ。
【請求項３】
前記支持構造は前記ポストとキャップの反対側とを連結することを特徴とする請求項１に記載のキャップ。
【請求項４】
前記キャップリングは受け部品の接触面と密封表面を形成することを特徴とする請求項１に記載のキャップ。
【請求項５】
前記トップは側壁を越えて棚状突起を形成することを特徴とする請求項１に記載のキャップ。
【請求項６】
前記トップはほぼ中央のキャップ開口部から側壁のトップ端部へ放射状に立ち下がる放射状ランプであることを特徴とする請求項１に記載のキャップ。
【請求項７】
前記放射状ランプは凹、凸又は直線状であることを特徴とする請求項６に記載のキャップ。
【請求項８】
密閉具であって、
放射状に包囲する側壁と、ほぼ中央のキャップ開口部から側壁のトップ端部まで放射状に延びるトップと、ポストと、キャップ開口部から間隔を置いた位置にあるポストを支える支持構造と、キャップの側壁の内面に形成された内部キャップリングと、キャップ開口部とキャップ内の中空スペースの間に通路を形成する支持構造の輪郭とから構成される中空キャップと、
放射状に包囲する側壁と、前記キャップのポストを密封するように受けるためのほぼ中央の受け開口と、受け部品の側壁の外面のまわりに形成された受けリングとから構成される受け部品と、
を備えて構成され、
前記受け開口は、完全に受け部品全体に延び、受けリングはキャップが受け部品から引き離されるときにキャップリングをロックするようになっている、
ことを特徴とする密閉具。
【請求項９】
前記支持構造は前記トップの内面に接触することを特徴とする請求項８に記載の構成品。
【請求項１０】
前記支持構造は前記ポストと前記キャップの反対側とを連結することを特徴とする請求項８に記載の構成品。
【請求項１１】
前記キャップリングは前記受け部品の接触面と密封面を形成することを特徴とする請求項８に記載の構成品。
【請求項１２】
前記受けリングは前記キャップの接触面と密封面を形成することを特徴とする請求項８に記載の構成品。
【請求項１３】
前記キャップは更に、前記キャップが完全に閉じた位置にあるとき、受けリングに嵌めるために前記キャップの側壁の内面に形成されているスナップリングを備えることを特徴とする請求項８に記載の構成品。
【請求項１４】
前記トップは側壁を越えて棚状突起を形成することを特徴とする請求項８に記載の構成品。
【請求項１５】
前記トップはほぼ中央のキャップ開口部から側壁のトップ端部へ放射状に立ち下がる放射状ランプであることを特徴とする請求項８に記載の構成品。
【請求項１６】
前記放射状ランプは直線、凹、又は凸状であることを特徴とする請求項１５に記載の構成品。
【請求項１７】
請求項８の構成を備えることを特徴とする容器。
【請求項１８】
一体に成型された受け部品より構成されたネックを備えることを特徴とする請求項１７に記載の容器。
【請求項１９】
ディスペンサ側壁が一体物として成型されている、第一端部を有する放射状に包囲するディスペンサ側壁を備えることを特徴とするディスペンサであって、
前記第一端部は
放射状に包囲する側壁と、ほぼ中央のキャップ開口部からキャップの側壁にあるトップ端部まで放射状に延びるトップと、ポストと、キャップ開口部から間隔を置いた位置にあるポストを支える支持構造と、キャップ側壁の内面上に形成された内部キャップリングと、キャップ開口部とキャップ内の中空スペースの間に通路を形成する支持構造の輪郭とから構成される中空キャップと
放射状に包囲する側壁と、前記キャップの前記ポストを受け止めて密封するためのほぼ中央の受け開口と、受け部品の側壁の外面のまわりに形成された受けリングとから構成される受け部品と
を備え、
受け開口は完全に受け部品全体に延び、また受けリングはキャップが受け部品から引き離されるときにキャップリングをロックするようになっていることを特徴とするディスペンサ。
【請求項２０】
前記支持構造は前記トップの内面に接触することを特徴とする請求項１９に記載のディスペンサ。
【請求項２１】
前記支持構造は前記ポストと前記キャップの反対側とを連結することを特徴とする請求項１９に記載のディスペンサ。
【請求項２２】
前記キャップリングは前記受け部品の接触面と密封面を形成することを特徴とする請求項１９に記載のディスペンサ。
【請求項２３】
前記受けリングは前記キャップの接触面と密封面を形成することを特徴とする請求項１９に記載のディスペンサ。
【請求項２４】
前記キャップは更に、前記キャップが完全に閉じた位置にあるとき、受けリングに嵌めるために前記キャップの側壁の内面に形成されているスナップリングを備えることを特徴とする請求項１９に記載のディスペンサ。
【請求項２５】
前記トップは側壁を越えて棚状突起を形成することを特徴とする請求項１９に記載のキャップ。
【請求項２６】
前記トップはほぼ中央のキャップ開口部から側壁のトップ端部へ放射状に立ち下がる放射状ランプであることを特徴とする請求項１９に記載のディスペンサ。
【請求項２７】
前記放射状ランプは凹、凸又は直線状であることを特徴とする請求項２６に記載のキャップ。
【請求項２８】
前記ディスペンサ側壁の第一端部が更に、前記ディスペンサ側壁と前記受け部品の間にドームを備えることを特徴とする請求項１９のディスペンサ。
【請求項２９】
前記ディスペンサ側壁の第一端部が更に、前記ドームと前記ディスペンサ側壁の間に形成された蝶番式接続具を備えることを特徴とする請求項２８のディスペンサ。
【請求項３０】
ディスペンサの製造法であって、
放射状に包囲する側壁と受け部品の側壁の外面の周りに形成される受けリングとからなる受け部品を備える第一端部を有する放射状に包囲するディスペンサ側壁を備える本体を一体物として型で成型するステップと、
開口部が完全に受け部品全体に延びている、ほぼ中央の受け開口を受け部品に形成するステップと、
放射状に包囲する側壁と、ほぼ中央のキャップ開口部からキャップの側壁にあるトップ端部まで放射状に延びるトップと、受け開口と密封するように係合するポストと、キャップ開口部から間隔を置いた位置にあるポストを支える支持構造と、キャップの側壁の内面上に形成された内部キャップリングからなる中空キャップを受け部品のトップに配置するステップとから構成され、
前記支持構造の輪郭がキャップ開口部とキャップ内の中空スペースとの間に通路を形成し、前記キャップが受け部品から引き離されるときに受けリングがキャップリングをロックするようになっていることを特徴とするディスペンサ製造法。
【請求項３１】
前記支持構造は前記トップの内側表面に接触することを特徴とする請求項３０に記載の方法。
【請求項３２】
前記支持構造は前記ポストと前記キャップの反対側とを連結することを特徴とする請求項３０に記載の方法。
【請求項３３】
前記キャップリングが前記受け部品の接触表面と密封表面を形成することを特徴とする請求項３０に記載の方法。
【請求項３４】
前記受けリングが前記キャップの接触表面と密封表面を形成することを特徴とする請求項３０に記載の方法。
【請求項３５】
前記キャップは更に、前記キャップが完全に閉まった位置にあるとき、受けリング嵌めるためにキャップの側壁の内側の表面に形成されたスナップリングを備えることを特徴とする請求項３０に記載の方法。
【請求項３６】
前記ディスペンサの第一端部は更に、前記ディスペンサ側壁と前記受け部品の間のドームを備えることを特徴とする請求項３０に記載の方法。
【請求項３７】
前記ディスペンサの第一端部は更に、前記ドームと前記ディスペンサの側壁との間に形成された蝶番式接続具を備えることを特徴とする請求項３６に記載の方法。
【請求項３８】
前記受け部品は突起からから構成されており、ほぼ中央の受け開口の形成はほぼ中央の受け開口を造るための前記突起のトリミングから構成されていることを特徴とする請求項３０に記載の方法。
【請求項３９】
更に当初開いている本体の第二端部から製品を本体に充填するステップと、
前記第二端部を継ぎ目でシールすることで充填されたディスペンサとするステップ
を備えることを特徴とする請求項３０に記載の方法。
【請求項４０】
前記トップは前記側壁を越えて棚状突起を形成することを特徴とする請求項３０に記載の方法。
【請求項４１】
前記トップはほぼ中央のキャップ開口部から側壁のトップ端部まで放射状に立ち下がる放射状ランプであることを特徴とする請求項３０に記載の方法。
【請求項４２】
前記放射状ランプの形状は凹、凸または直線状であることを特徴とする請求項３８に記載の方法。
【請求項４３】
放射状に包囲する側壁と、
ほぼ中央のキャップ開口部からキャップの側壁にあるトップ端部まで放射状に延びるトップと、
受け部品の受け開口と密封するように係合するポストと、
キャップ開口部から間隔を置いた位置にあるポストを支える支持構造と、
前記キャップがランプを上下に摺動するために受け部品のランプと摺動可能に係合するスレッドと
から構成されていることを特徴とする中空キャップ。
【請求項４４】
前記支持構造が前記トップの内側の表面と接触していることを特徴とする請求項４３に記載のキャップ。
【請求項４５】
前記支持構造は前記ポストと前記キャップの反対側とを連結することを特徴とする請求項４３に記載のキャップ。
【請求項４６】
密閉具であって、
放射状に包囲する側壁と、ほぼ中央のキャップ開口部から側壁のトップ端部まで放射状に延びるトップと、ポストと、キャップ開口部から間隔を置いた位置にあるポストを支える支持構造と、スレッドと、キャップ開口部とキャップ内の中空スペースの間に通路を形成する支持構造の輪郭とから構成される中空キャップと、
放射状に包囲する側壁と、前記キャップのポストを密封するように受けるためのほぼ中央の受け開口と、前記キャップがランプを上下に摺動するためにキャップのスレッドと摺動可能に係合するためのランプを備える受け部品とから構成されており、
前記受け開口は完全に受け部品全体にわたって延びていることを特徴とする密閉具。
【請求項４７】
前記支持構造はトップの内面と接触することを特徴とする請求項４６に記載の構成品。
【請求項４８】
前記支持構造は前記ポストと前記キャップの反対側とを連結することを特徴とする請求項４６に記載の構成品。
【発明の詳細な説明】
【技術分野】
【０００１】
本発明はプッシュプルキャップを有するディスペンサに関する。
【背景技術】
【０００２】
従来、化粧品、ヘアジェル、調味料、飲料、液体石鹸のような消費財のフレキシブルディスペンサは複合ユニット閉め具つきの大きな立ちキャップつき、または複合閉め具つきで作られることが多い。複合ユニット閉め具はポスト（柱）とホール（穴）型機構を利用している。このような閉め具では、キャップのホールを閉じるのは、瓶に付いているベース部品上にポストを挿入することによって行われる。併しながら、複合ユニット閉め具の製造も大きな立ちキャップと同様比較的にお金がかかる。小売値の高い消費財用にとっては、ディスペンサが包装済み製品の総体的な価格に対して小さな割合のコストしか掛かっていない場合には同じ方法が満足できるものである。併しディスペンサコストが比較的大きい化粧品、ヘアジェル、調味料、飲料、液体石鹸のような他の多くの製品、または少量の製品を入れた容器に対して、ディスペンサコストを減少しようという要望が増えてきている。
【発明の開示】
【発明が解決しようとする課題】
【０００３】
そこで必要になるのが従来のディスペンサの欠陥を克服するディスペンサと閉め具の改良である。
【課題を解決するための手段】
【０００４】
上記の欠陥は本発明による再シール可能のプッシュプルキャップにより克服される。即ち、概キャップは、放射状に包囲する側壁と、ほぼ中央のキャップ開口部から放射状に側壁まで延びているトップとを備える。キャップは更に受け部品の受け開口を密封するように係合するポストと、キャップ開口部から間隔を置いた位置にポストを支える支持構造と、キャップ側壁の内面上に形成された内部キャップリングとから構成されている。支持構造の輪郭はキャップ開口部とキャップ内の中空スペースの間に通路を形成している。
【発明を実施するための最良の形態】
【０００５】
本発明の実施形態を下記に詳細に述べる。実施形態を述べるにあたって、特定の専門用語が明確化のために用いられる。併し、本発明はそのように選択された特定の専門用語に限定されることを意図するものではない。具体的な好適な実施形態を記述するが、これは説明することだけを目的とするものであると理解すべきである。当業者であれば、他の成分や構成を本発明の精神及び範囲から逸脱することなく用いることができることを認めるであろう。
【０００６】
図１Ａは本発明によるキャップ３６の実施形態の底面クローズアップ図である。キャップ３６は、キャップ３６内のポスト４５を支持する内部支持構造５０を有する。ポスト４５はほぼ円柱状であってよい。オープンスペース４８はキャップ３６内の中空であるがそこには内部支持構造５０は存在していない。支持構造５０はポスト４５とこの中空キャップの反対側とを連結することができる。代わりに支持構造５０はポスト４５を中空キャップ３６の一方の側のみに連結することができ、又は必ずしも反対側ではないキャップ３６側の２つ以上に連結することができる。支持構造５０は図１Ａに示されるように放射状構造であってよい。また支持構造は直線状、波状、ジグザグ状を含むどのような形状であってもよい。
【０００７】
図１Ｂは図１ＡにおけるＡ−Ａ線でのキャップの断面のクローズアップ図である。キャップ３６はオープンスペース４８を有し中空になっている。キャップ３６は放射状に包囲する側壁５２、キャップリング４４、ほぼ中央の開口部４０から側壁５２に放射状に延びるトップ５１を有する。示された実施形態では、トップ５１は放射状のランプ５１で側壁５２を越えて棚状突起５４を形成する。ランプは図１Ｂに示されるように直線状スロープであってもよいし、凹または凸である湾曲した非線形状のスロープを有していてもよい。代わりに、トップ５１は平面、球面、方形、矩形、三角形を含む上述の放射状ランプ以外のどのような構造であってもよい。ポスト４５はキャップ開口部４０から間隔を置いた位置にある支持構造５０によって支えられている。支持構造５０とポスト４５の輪郭がキャップ内のキャップ開口部４０と中空スペース４８の間に通路を形成している。この構造によってキャップ３６が付いている容器（例えば瓶又はチューブ）内の製品が容器内部から中空スペース４８に流れ込み、開口部４０から外に流れ出るようになっている。支持構造はトップ５１の内面及び／又は側壁５２の内面に接触できる。キャップには、キャップが完全に閉まった位置にあるときに受け部品の受けリングに嵌るようにキャップ３６の内面に形成されたスナップリング４２を含めることが出来る。キャップリング４４はキャップ３６が受け部品から引き離されるときに受け部品の受けリングをロックするようになっている。キャップリング４４はまた受け部品の上のネックと相互に作用して側壁と受け部品の間から製品が漏れるのを防ぐシールを形成する。
【０００８】
図２Ａはキャップの内部支持構造５０を横切るＢ−Ｂ線を開示するキャップの底面クローズアップ図である。
【０００９】
図２Ｂは図２ＡのＢ−Ｂ線に沿ったキャップの断面のクローズアップ図である。この図において支持構造５０はトップ５１の内面に接触している。代わりに、支持構造は内壁５２の内面及び／又はトップ５１の内面と接触するものであってもよい。
【００１０】
キャップ３６の好適な大きさは下記のようである。キャップ３６の高さは８．０ｍｍを含む約４ｍｍから約２０ｍｍである。トップ５１の最低点におけるキャップ３６の直径は１６．０ｍｍを含む約８ｍｍから約３５ｍｍとすることができる。キャップの側壁５２の外面の直径は１３．０ｍｍを含む約６ｍｍから約３０ｍｍとすることが出来る。キャップの側壁５２の内面の直径は１１．０ｍｍを含む約５ｍｍから約２５ｍｍとすることが出来る。キャップリング４４は０．７５ｍｍを含む約０．３ｍｍから約１．５ｍｍの厚さとすることが出来る。ポスト４５は４．０ｍｍを含む約２．０ｍｍから約８．０ｍｍの幅とすることが出来る。スナップリング４２は０．４ｍｍを含む約０．２ｍｍから約０．８ｍｍの厚さとすることが出来る。側壁５２を越えるトップ５１の棚状突起は１．５ｍｍを含む約０．７ｍｍから約３．０ｍｍの肉厚さとすることが出来る。トップ５１の棚状突起の下の面までの側壁５２の高さは４．０ｍｍを含む約２．０ｍｍから約８．０ｍｍとすることが出来る。外側境界に沿った棚状突起の高さは１．２ｍｍを含む約０．０ｍｍから約２．５ｍｍとすることが出来る。これらの大きさは好適なもののみであって、希望する用途、キャップがつけられている容器や受け部品の寸法に調和するのに必要などんな値にも調節できる。
【００１１】
本発明のキャップはプラスチックを含む種々の材料から作ることが出来る。適しているプラスチックの例としては、ナイロン、ポリエチレンやポリプロピレンのようなポリオレフィン、ポリエステル、その他の熱可塑性プラスチック又は熱硬化性材料などである。キャップは射出成型を含み、とはいえそれに限定されず、いずれかの適当な方法で作ることが出来る。
【００１２】
図３は本発明の実施形態による受け部品すなわちネックフィニッシュ３０のクローズアップ図である。本発明の実施形態によるキャップは図３に示されるものを含むいずれのネックフィニッシュにも用いることができ、そのネックフィニッシュは容器（例えば瓶またはチューブ）の上端に、例えばネジ止めのアダプタであってもよいし、或いは容器と一体に成型または形成された一体品であってもよい。ネックフィニッシュ３０はネックフィニッシュ３０とネックフィニッシュの側壁３３の外面に形成されたネックリング３５とを完全に貫通する開口部３２を有している。開口部はキャップ３６が閉じた位置に押し込められたときにキャップ３６を補完するポスト４５に密封するように係合している。ネックリング３５はネックフィニッシュ３０の上端近くに位置することができる。
【００１３】
開口部３２は種々の方法で造ることが出来る。例えば、開口部はネックフィニッシュ３０が成型されるときに開口部３２の外にまで延びる突起をまず成型することによって形成できる。次いでキャップがその開放位置まで引き抜かれるときに、封入されている製品がそこを通り抜ける開放通路を開口部３２が作れるように、突起はトリムされる。その代わりとしては、開口部３２を、端部がふさがれているネックフィニッシュの中へリーマ通しで開口をつくることによって得る方法である。尚その他の開口部３２を造る好適な方法は、ブローモールドした容器（例、瓶またはチューブ）の開口部をブローホール又はニードルインサーションポイントとして用いてネックフィニッシュの他の部分をブローモールドする方法である。これら実施形態のいずれにおいても、開口部３２は滑らかな仕上げとなるようにその後リーマ通しを施してもよい。
【００１４】
フィニッシュ３０はほぼ円柱状である。ネックフィニッシュのネックリング３５はキャップの側壁５２の内面にある接触面と蜜封面を形成することができる。その代わりに、キャップ３６のキャップリング４４はネックフィニッシュの側壁３３の外面上の接触面と蜜封面を形成してもよい。
【００１５】
図３のネックフィニッシュ３０は容器に例えば業界で公知の他の複合閉め具と同じ方法でスレッドで連結するような部品とすることが出来る。その代わりとして、ネックフィニッシュ３０は容器に一体に形成することも出来る。いずれの実施形態においても、容器（例えば瓶又はチューブ）はプラスチック、金属、またはガラス容器のいずれか適当なものから造ることが出来る。好適な実施形態において、ネックフィニッシュはプラスチック容器の部分として一体成型することができる。プラスチック容器はナイロン、ポリエチレン又はポリプロピレンのようなポリオレフィン、ポリエチレンテレフタレートのようなポリエステル、ポリカーボネートを含む熱可塑性材料のようなプラスチック材のいずれか適したもので作ることが出来る。プラスチック瓶は限定されはしないが押し出し成型、押し出しブロー成型、引っ張りブロー成型、射出成型、射出ブロー成型を含む業界において公知のいずれか適当な方法で形成することが出来る。容器がブロー成型プロセスで形成される場合に、ネックフィニッシュ３０の開口部３２は空気注入針が挿入されるブローホールとして用いることが出来る。
【００１６】
上述の大きさを有するキャップ３６とともに用いられるフィニッシュ３０の好適な大きさは下記のようである。フィニッシュの高さは６．６ｍｍを含む約３ｍｍから約１５ｍｍとすることが出来る。ネックリング３５を含むフィニッシュの直径は１１ｍｍを含む約５ｍｍから約２２ｍｍとすることが出来る。ネックフィニッシュ３０の側壁３３の外面の直径は１０．４ｍｍを含む約４ｍｍから約２０ｍｍとすることが出来る。ネックリング３５の高さは２．０ｍｍを含む約１ｍｍから約５ｍｍとすることが出来る。開口部３２の直径は４ｍｍと９ｍｍを含む約２ｍｍから約１０ｍｍとすることが出来る。
【００１７】
上述ならびに下記のキャップと受け部品の実施形態においてはキャップ用に唯ひとつのポストと唯ひとつの開口部を、そしてネック部品については唯ひとつの開口部が描かれている。併し、製品の流れを増やすためにキャップは複数のポストを有することが出来るし及び／又は複数の開口部を有することが出来る。更に、キャップとは無関係に、底部は製品の流れを増やすために複数の開口部を有することが出来る。
【００１８】
図４は本発明のキャップを付けたネックフィニッシュ３０のある中間の部分／本体１０の好適な実施形態の正面図である。そのような中間部部品やそこから造られる容器は２００１年１１月２日出願の国際出願ＰＣＴ／ＵＳ０１／４５６０２号,２００３年５月２日出願の国際出願ＰＣＴ／ＵＳ０３／１３７１５号、２０００年１１月８日出願の米国仮出願６０／２４６，７７８号、２００１年９月７日出願の米国仮出願６０／３１８，１５５に記載され、それぞれがここに参照として全て組み込まれている。中間部部品１０は開放端１６を有し、中間部部品１０から造った容器（例えば瓶、チューブ）にその開放端１６から製品を充填することが出来る。中間部部品１０は一体型か多数個型構造であることが出来、ＬＤＰＥのような単層のプラスチック材又は多層のプラスチック層から均一に作ることが出来る。中間部部品１０は例えば液状またはゲル状の飲料、ヨーグルト、ソース、プッディング、ローション、石鹸、及び粉末固体を含む液状、粘稠状又は固状製品の広範囲な種類のものをパッケージするのに用いられる。中間部部品１０の全部又は一部が適当な成型工程例えば押し出しブロー成型を用いて造ることが出来る。
【００１９】
中間部部品１０の構造面にまず目を向けると、それは向かい合う端部１４と１６を有するしなやかな側壁１２を有していることがわかる。第一端部１４は部品１０の分出用端部である。本発明によるフィニッシュ３０はこの分出用端部１４上に一体成形することができる。第二端部１６は分出用端部１４と向かいあうものであるが開放端で部品１０を満たすのに用いることが出来る。第二端部１６はそのあと熱シールして例えば直線の平らな継ぎ目のような継ぎ目をつくる。
【００２０】
形成されている側壁１２はその断面が円、長方形、三角形、楕円、その他の幾何学的形状を形成するほぼ筒状の側壁を含むいずれかのタイプの放射状に囲む側壁である。側壁１２はしなやかで、第二端部１６を平らにして平面の継ぎ目としチューブをシールすることができる。分出用端部１４に隣接する側壁１２は終端が円形の立ちリング２０となり、その上に第二端部１６上の継ぎ目を上にしてディスペンサを自由に立てることが出来る。周辺を取り巻くはめ込み溝２２が立ちリング２０から少し離れたところの側壁１２に形成することが出来、側壁１２に隣接する部分を強化することができる。更に側壁１２にラベルを付けることも出来る。
【００２１】
部品１０の第一端部１４は立ちリング２０から延びて分出用端部１４で閉じているドーム２６を有する。ドームは球状、立方状、及びピラミッド状のような幾何学的形状のいずれかでよく、ドーム２６の外側に突出する位置に凸状部分を造り出し、また立ちリング２０とドーム２６の間の蝶番つき連結部３４まわりの部分をはじくことで、ドーム２６の内側に突出した位置に、ドーム２６を相当する凹状部分へと容易に変えることが出来る。（図５参照）。ひとたびドーム２６が内側又は外側に突出している位置のいずれかに置かれると、ドーム２６をもう一方の位置にはじく外力がなければ、ドーム２６はその位置を保つことが出来る。
【００２２】
柔軟な側壁１２と第一端部１４は別個に製作された部品を一体化するのではなく、射出成型やブロー成型技術を含む種々の成型技術を用いて一体物に成型することが出来る。例えば、押し出しブロー成型技術を用いると、一対のオープンブロー成型の半体を基準として熱可塑性材料の溶融チューブを押し出し成型することが出来る。ブローモールド半体を溶融チューブの周りに寄り集めて、キャビティをつくり、そこに溶融チューブを吹き込んで中間にある本体／部品１０を形成する。種々の成型技術のいずれかを用いて、ネックフィニッシュ内のほぼ中央の開口部３２を覆う突起つきのネックフィニッシュ（受け部品）３０を側壁１２とドーム２６の成型と同時に形成することができる。本実施形態では、突起は次にトリムされて開口部３２を造る。または、フィニッシュ３０は閉じた平らな端部とともに成形され、その後にリーマ通しで開口部３２を形成することも出来る。これらの実施形態のいずれにおいても、ブロー成型工程のためのエアーは開口端部１６を通って使用することが出来る。それに代わる方法として、開口部３２をブローホールとして利用することで中間部部品と一緒にこの開口部３２を形成することが出来る。
【００２３】
側壁１２の成型時にラベルを型を使って側壁１２に接合することが出来る。代わりに、成形後ラベルを貼り付けることも出来る。ドーム２６は、まず外側に突出している位置に成型され、ついで注入端部１６に内容物を挿入する前に内側に突出する位置にはじき入れてもよい。
【００２４】
成型工程の後、側壁１２は中間の部品１０の第二端部のカットラインにそってトリムされカットラインを越える余分の切れ端を取り除く。中間部部品１０に食品や飲料製品を満たすときに、不正開封防止カバーを立ちリング２０に接合して、中間部部品１０が充填される前の分出用端部１４が汚染されるのを防ぐことが出来る。
【００２５】
図５は平らにされて平坦な継ぎ目１８になっている第二端部１６を有するディスペンサを示している。図５には、側壁１２内で内側に突出する位置で立ちリング２０を通って延びている想像面Ｐの下にあるドーム２６を示している。このように、ドーム２６はディスペンサ１０が立ちリング２０上に自由に立つのを邪魔しないで、図５に最もよく示されているように不正開封が判るカバー２８が立ちリング２０に接合できるようになっていることから、図５に示されるようにドーム２６は保管位置にあると言える。カバー２８は箔または他のシート状カバーでディスペンサ１０の第一端部１４がユーザーによって取り除かれる前に汚染や見分けられないような開封をされるのを防ぐのに用いられる。
【００２６】
中間部部品の成型工程後、開放端部１６から中間部部品に製品を充填しその開放端部をシールして閉じた平坦な継ぎ目１８にすることによってディスペンサ１０が造られる。
【００２７】
ディスペンサ１０を使用するときには、カバー２８があれば先ず取り除く。次いで、柔軟な側壁１２を握って押しつぶし、その結果ドーム２６は内側に突出している位置から外側に突出する位置にはじかれる。このことで、ネックフィニッシュ３０とキャップ３６が持ち上げられて、容易に利用できる状態になる。図５に示されるように、キャップ３６が閉まっているときに、キャップ３６のポスト４５は開口部３２に係合してシールを形成する。ドーム２６が外側に突出している位置からキャップ３６は開放位置まで引出すことが出来る。キャップリング４４はネックフィニッシュ３０の受けリング３５と接触するようになってキャップ３６がネックフィニッシュ３０から取り除かれるのを防止することが出来る。開放位置では、ポスト４５は開口部３２から取り除かれ、封入された製品はネック３０を通過してキャップ３６の中空スペース４８に入り分配するために開口部４０を通って流出する。封入されている製品の必要量が柔軟な側壁１２を押しつぶすことで分出される。封入されている製品の必要量を引き出した後、立ちリングを使うためには、キャップ３６は閉じた位置に押し込まれ、ドーム２６は内側に突出した位置に押し戻される。併しまたドーム２６は外側に突出した位置に残されたままでいてもよい。
【００２８】
図６は本発明によるキャップ３６’の他の実施形態を示すものである。この実施形態のキャップ３６’はネックフィニッシュに付けられている箇所がスナップ止めではなくてネジ止めである点が違っているだけである。キャップ３６’はオープンスペース４８を有する中空である。キャップ３６’は放射状に包囲する側壁５２、スレッド６２、及びほぼ中央の開口部４０から側壁５２に放射状に延びるトップ５１を有する。示された実施形態では、トップ５１は放射状のランプで側壁５２を越えた位置に棚状突起５４を形成している。この放射状ランプは図６に示すように直線状のスロープか凹又は凸となることの出来る湾曲した非線形のスロープを有していてもよい。またトップ５１は描かれた放射状ランプ以外の、平面、球、方形、矩形又は三角形を含むいかなる構造であってもよい。ポスト４５はキャップ開口部４０から間隔を置いた位置にある支持構造によって支持されている。支持構造とポスト４５の輪郭がキャップ開口部４０とキャップ内の中空スペース４８の間に通路を形成している。これがキャップ３６’が付いている容器（瓶又はチューブ）内の製品を容器の内部から中空スペース４８へ、そして開口部４０の外へと流れさせる。支持構造はトップ５１の内面及び／又は側壁５２の内面に接触できる。キャップ３６’のスレッド６２はネックフィニッシュのランプと摺動するように係合し、キャップをランプの上下に摺動させる。スレッド６２はネックフィニッシュの周りを１／４、１／３、１／２回転又は１以上の回転を含む適当な回転ができるような長さであればどのような長さであってもよい。回転止め６４をキャップ３６’の内面に形成して或る限度を越えてキャップが上下に回転するのを防いでいる。
【００２９】
図７は図６のキャップ３６’と共用するのに適した受け部品即ちネックフィニッシュ３０’の実施形態のクローズアップ図である。ネックフィニッシュ３０’はキャップ３６’のスレッド６２と係合するためにネックフィニッシュの外面に形成されたランプ６１を有し、それによってキャップが回転するにしたがってスレッドが回転しキャップやスレッドはランプ６１を上下する。ネックフィニッシュ３０’は、キャップがその閉じた位置まで回転されたときにキャップのポスト４５と密封するように係合する開口部６０を有する。開口部６０は図３のネックフィニッシュ３０の開口部３２を造ることに関連して述べられたものを含むいかなる方法によっても造ることが出来る。
【００３０】
本明細書において説明され論じられた実施形態は発明者が本発明を実施し用いるための最善の方法を当業者に教示するためのみのものである。本明細書には本発明の範囲を制限するものは何もないと考えるべきである。提供されている例のすべては代表的なものであってなにも制限するものではない。本発明の上記実施形態は本発明から逸脱することなく当業者によって上記教示のもとに理解されたように修正又は変更することが出来る。それゆえ、本請求の範囲及びその均等物の範囲内において本発明は具体的に記載されたもの以外の方法も実施できると理解されるべきものである。
【図面の簡単な説明】
【００３１】
発明の前述の記載は付随の図に示されるように次の発明の実施形態のより具体的な記載から明らかになるであろう。これらの図においては類似の参照番号は一般的に同一要素か、機能的に類似か、そして／または構造的に類似の要素を示している。
【図１Ａ】本発明によるキャップの一実施形態の底面クローズアップ図である。
【図１Ｂ】図１ＡのＡ−Ａ線でのキャップの断面のクローズアップ図である。
【図２Ａ】キャップの他の底面クローズアップ図である。
【図２Ｂ】図２ＡのＢ−Ｂ線でのキャップの断面のクローズアップ図である。
【図３】本発明によるキャップと共用するのに適したネックフィニッシュの一実施形態のクローズアップ図である。
【図４】本発明による中間部部品の一実施形態の正面図で、その品物は製品を充填するための開放端部を有している。
【図５】本発明によるキャップを有するディスペンサの一実施形態の透視図であって、密封された端部は紙面に沿っている。
【図６】本発明の他の実施形態によるキャップの断面のクローズアップ図である。
【図７】図６におけるキャップと共用するのに適したネックフィニッシュの他の実施形態のクローズアップ図である。
【図１Ａ】
2006512255.tif 000003
【図１Ｂ】
2006512255.tif 000004
【図２Ａ】
2006512255.tif 000005
【図２Ｂ】
2006512255.tif 000006
【図３】
2006512255.tif 000007
【図４】
2006512255.tif 000008
【図５】
2006512255.tif 000009
【図６】
2006512255.tif 000010
【図７】
2006512255.tif 000011
【国際調査報告】
2006512255.tif 000012